(57)【要約】本発明は、脊椎手術用のガイド装置（１０）に関し、患者の背椎骨（１００）への外科的介入をガイドするための、近位端（１４）と遠位端（１６）との間に延びる２つのガイドスリーブ（１２）と、複数の支持要素（１８）であって、各支持要素（１８）が結合構成において前記患者の背椎骨（１００）を再現する仮想表面（１０２）の一部に当接するように特別に構成された接触領域（２０）を規定する、複数の支持要素（１８）と、２つのガイドスリーブ（１２）を一緒に結合する少なくとも１つの接合要素（２２）と、を備える。本発明による装置において、各ガイドスリーブ（１２）は、近位端（２６）と遠位端（２８）との間に延びる補助スリーブ（２４）を備え、補助スリーブ（２４）の近位端（２６）が対応するガイドスリーブ（１２）の近位端（１４）の近くに位置している。
2021523792.tif 000002
【特許請求の範囲】
【請求項１】
脊椎手術用の使い捨てガイド装置（１０）であって、
患者の背椎骨（１００）への外科的介入をガイドするための、近位端（１４）と遠位端（１６）との間に延びる２つのガイドスリーブ（１２）と、
複数の支持要素（１８）であって、各支持要素（１８）が結合構成において前記患者の前記背椎骨（１００）を再現する仮想表面（１０２）の一部に当接するように特別に構成された接触領域（２０）を規定する、複数の支持要素（１８）と、
前記２つのガイドスリーブ（１２）を一緒に結合する少なくとも１つの接合要素（２２）と、を備え、
各ガイドスリーブ（１２）は、近位端（２６）と遠位端（２８）との間に延びる補助スリーブ（２４）を備え、前記補助スリーブ（２４）の前記近位端（２６）が対応する前記ガイドスリーブ（１２）の前記近位端（１４）の近くに位置している、ガイド装置（１０）。
【請求項２】
各ガイドスリーブおよび対応するそれぞれの前記補助スリーブ（２４）は、それぞれの前記近位端（１４、２６）から始まる発散する展開を有する、請求項１に記載のガイド装置（１０）。
【請求項３】
各ガイドスリーブ（１２）がそれぞれの主軸Ｘｐに沿って延在し、それぞれの前記補助スリーブ（２４）がそれぞれの補助軸Ｘａに沿って延在する、請求項１または２に記載のガイド装置（１０）。
【請求項４】
それぞれの補助軸Ｘａが対応する前記それぞれの主軸Ｘｐと交差する、請求項３に記載のガイド装置（１０）。
【請求項５】
それぞれの補助軸Ｘａが対応する前記それぞれの主軸Ｘｐと角度αを形成する、請求項３または４に記載のガイド装置（１０）。
【請求項６】
角度αが２０°から６０°の間、好ましくは２５°から４５°の間に含まれる、請求項５に記載のガイド装置（１０）。
【請求項７】
前記補助軸Ｘａが、前記背椎骨の前記仮想表面（１０２）に近接して前記主軸Ｘｐから最小距離に到達する、請求項３から６のいずれか１項または複数に記載のガイド装置（１０）。
【請求項８】
前記補助軸Ｘａが、前記仮想表面（１０２）から５ｍｍ以内の前記背椎骨の内部の点で前記主軸Ｘｐと交差する、または前記主軸Ｘｐからの最小距離に到達する、請求項３から７のいずれか１項または複数に記載のガイド装置（１０）。
【請求項９】
各補助軸Ｘａが、それが入射する前記仮想表面（１０２）の部分と角度βを形成し、前記角度βが準備ドリルの使用に有利である、請求項３から８のいずれか１項または複数に記載のガイド装置（１０）。
【請求項１０】
角度βが６０°から１２０°の間、好ましくは７５°から１０５°の間に含まれる、請求項９に記載のガイド装置（１０）。
【請求項１１】
前記２つのガイドスリーブ（１２）は、それらの近位端（１４）が前記遠位端（１６）よりも互いに離れるように方向付けられている、請求項１から１０のいずれか１項または複数に記載のガイド装置（１０）。
【請求項１２】
前記複数の支持要素（１８）の少なくとも１つが、前記背椎骨（１００）の一部を少なくとも部分的に取り囲むようにフックのように形作られている、請求項１から１１のいずれか１項または複数に記載のガイド装置（１０）。
【請求項１３】
ハンドル（４８）をさらに備える、請求項１から１２のいずれか１項または複数に記載のガイド装置（１０）。
【発明の詳細な説明】
【技術分野】
【０００１】
本発明は、脊椎手術の技術分野に関し、より具体的には、脊椎手術用の特定の使い捨てガイド装置に関する。この装置は、外科医が脊椎骨を穿設するのを助けるために使用される。
【背景技術】
【０００２】
脊椎手術の分野では、例えばキルシュナーワイヤを挿入するため、カニューレ付きのねじの適用のためのガイドワイヤを挿入するため、または中実のねじを挿入するために、脊椎の穿設がしばしば必要になる。穿設の方向は非常に正確に規定されなければならない。なぜなら、椎弓板（lamina）に由来する穴は、非常に正確な方向に沿って、例えば脊椎骨の椎弓根に沿って、しばしば進まなければならないからである。穿設工程の重要な性質のため、外科医を支援するためにいくつかの解決策が開発されてきた。
【０００３】
まず第一に、画像診断（例えば、コンピュータ断層撮影）で一般的に使用される方法を通じて、手術を受けなければならない個々の患者の個々の脊椎骨の特定の解剖学的構造のデジタル再構成を可能にする技術が開発された。
【０００４】
個々の脊椎骨のデジタルモデルは、物理モデルを得ることを可能にし、このモデル上で、穿設が術前にすでに細部まで計画される。
【０００５】
最後に、外科医によって最適と見なされた穿設方向および脊椎骨モデルから始めて、穿設用の特定の使い捨てガイド装置を構築することが可能である。本明細書および以下で使用される形容詞「特定」は、ガイド装置が、特定の患者の特定の脊椎骨の解剖学的構造に適応するようにカスタマイズまたは成形されていることを意味する。
【０００６】
この分野では、ガイド装置は、椎弓根スクリュー挿入中に、外科医を支援するために主に使用され、これにより、スクリューの事前に計画された最適軸に従ってスクリューを挿入することができる。
【０００７】
ただし、これらの装置は、他の目的のために、例えば、ＰＳＯ（椎弓根サブトラクション骨切り術）、椎弓切開術、または脊椎関節突起切除術中の切断ガイドとして、脊椎手術で使用されてもよい。
【０００８】
一般に、ガイド装置は、安定した且つ明確に規定された構成において患者の脊椎骨と嵌合するように適合された１つまたは複数の接触要素および１つまたは複数のガイドスリーブを備えている。
【０００９】
ガイドスリーブは、手術器具の前進方向を規定する。当業者がよく理解できるように、術前段階で規定された最適な方向を忠実に維持するために、装置は完全に脊椎骨にしっかりと置くことができなければならず、且つ現実の手術領域において簡単に取得可能である単一の明確に規定された使用位置を持つことができなければならない。
【００１０】
この目標を達成するために、ガイド装置と患者の骨構造との間のしっかりした接触が必要である。
【００１１】
ガイドを最適に位置決めするために、外科医は骨の広い領域から周囲の組織を洗い流し、場合によっては靭帯を切断しなければならない。この手術は、多くの場合、時間の観点で困難で且つコストがかかることが判明しており、合併症や患者の入院期間の延長につながり得る。
【００１２】
さらに、外科医が取り除くことができない残留組織および骨自体の表面は、穿設に使用される器具およびガイド装置の両方の滑りおよびずれにつながり得る。
【００１３】
これが発生した場合、椎弓根スクリューまたは骨切除は不正確にまたは準最適に配置されることになる。
【００１４】
上で述べたように、手術器具が脊椎骨の表面に到達してそれを穿孔する向きは、脊椎骨に対して穿設が持たなければならない最適な方向によって規定される。このため、器具は、また、脊椎骨の表面が滑りやすいために、その望ましくない変位に有利に働く強い傾斜で脊椎骨の表面に到達せざるを得ない場合がある。したがって、この場合、外科手術の計画とガイド装置の構築に注意を払ったにもかかわらず、背椎骨の穿設は準最適であるかもしれない。
【発明の概要】
【００１５】
前述のことを考慮して、本発明の根底にある技術的問題は、患者の背椎骨の滑りの問題を最小化または防止することができる、脊椎手術用の使い捨てガイド装置を提供することである。
【００１６】
前述の技術的問題は、請求項１に記載の脊椎手術用のガイド装置によって解決される。
【００１７】
より具体的には、前述の技術的問題は、
患者の背椎骨への外科的介入をガイドするための、近位端と遠位端との間に延びる２つのガイドスリーブと、
複数の支持要素であって、各支持要素が、結合構成において、患者の背椎骨を再現する仮想表面の一部に当接するように特別に構成された接触領域を規定する、複数の支持要素と、
２つのガイドスリーブを共に結合する少なくとも１つの接合要素と、を備える装置によって解決される。
【００１８】
さらに、各ガイドスリーブは、近位端と遠位端との間に延びる補助スリーブを備え、補助スリーブの近位端は、ガイドスリーブの近位端に近接して位置する。
【００１９】
有利なことに、各ガイドスリーブおよび対応する補助スリーブは、それぞれの近位端から始まる発散する展開（diverging development）を有する。
【００２０】
好ましくは、各ガイドスリーブはそれぞれの主軸に沿って延在し、それぞれの補助スリーブはそれぞれの補助軸に沿って延在する。
【００２１】
有利なことに、各補助軸は対応するそれぞれの主軸と交差する。
【００２２】
ガイド装置のいくつかの実施形態によれば、各補助軸は、対応するそれぞれの主軸と角度αを形成する。好ましくは、補助軸および対応する主軸によって形成される角度αは、２０°から６０°の間、さらにより好ましくは２５°から４５°の間に含まれる。
【００２３】
挿入ダクトは各ガイドスリーブ内に位置しており、供給ダクトは各補助スリーブ内に位置している。
【００２４】
いくつかの実施形態では、供給ダクトの近位開口部が、挿入ダクトの壁に、その近位端の近くに規定されている。
【００２５】
いくつかの実施形態では、供給ダクトの近位開口部が、挿入ダクトの近位開口部からわずかに離間している。
【００２６】
挿入ダクトと供給ダクトの両方が、手術器具のための対応するそれぞれの挿入軸を規定し、その使用は、好ましくは、術前段階で詳細に計画される。
【００２７】
挿入ダクトの直径は、主要な手術器具の挿入を可能にするようなものである。前記直径は、３−１８ｍｍ、３−１２ｍｍ、３−９ｍｍ、３−６ｍｍから選択され得る。
【００２８】
供給ダクトの直径は、準備ドリルの挿入を可能にするようなものである。上記直径は、１．８−４ｍｍ、２−３ｍｍから選択され得る。
【００２９】
有利なことに、補助軸は、背椎骨の仮想表面に近接して主軸からの最小距離に達する。
【００３０】
好ましくは、補助軸は、背椎骨の仮想表面に近接して主軸と交差する。
【００３１】
好ましくは、補助軸は、仮想表面から５ｍｍ以内の背椎骨の内部の点で、主軸から最小距離に到達するか、または主軸と交差する。
【００３２】
有利なことに、各ガイドスリーブは、近位端が遠位端に対して互いにより離れるように、方向付けられ得る。
【００３３】
好ましくは、各補助軸は、それが入射する背椎骨の仮想表面の部分と角度βを形成し、角度βは、準備ドリルの使用に有利である。
【００３４】
角度βは、好ましくは６０°から１２０°の間、さらにより好ましくは７５°から１０５°の間に含まれる。
【００３５】
好ましくは、少なくとも１つの接合要素は、２つのガイドスリーブに対して横方向に延在して、それらを互いに堅固に接続する。より好ましくは、接合要素は、各ガイドスリーブの遠位端に近接して位置している。
【００３６】
好ましくは、各ガイドスリーブは、背椎骨の棘突起の収容が行われることを可能にするために少なくとも適切な距離だけ互いに離間されている。
【００３７】
好ましくは、接合要素は、背椎骨の棘突起を収容するためのシートをその中に規定する逆「Ｕ」形状をとる。
【００３８】
いくつかの実施形態では、棘突起を収容するためのシートは、頭尾方向に開いている。
【００３９】
あるいは、棘突起を収容するためのシートは、接合要素の側面を接続する１つまたは２つの仕切りによって頭尾方向に閉じられ得る。
【００４０】
好ましくは、接合要素は、外科医による装置の取り扱いを容易にするのに適したハンドルを備える。
【００４１】
好ましくは、各支持要素、特にそれぞれの接触領域は、術前段階中に患者固有の態様で設計される。
【００４２】
好ましくは、支持要素の少なくとも１つは、背椎骨の一部を少なくとも部分的に取り囲むように、フックのような形状になっている。
【００４３】
好ましくは、各ガイドスリーブは、背椎骨の仮想表面の一部に当接するように構成された、近位端の近くのさらなる独自の接触部分を備えている。
【図面の簡単な説明】
【００４４】
本発明による患者固有の使い捨てガイド装置のさらなる特徴および利点は、添付の図面を参照して非限定的な例として説明されるいくつかの実施形態の以下に提供される説明からより明らかになるであろう。
【図１】本発明の第１の実施形態による使い捨てガイド装置の斜視図である。
【図２】本発明の第２の実施形態による使い捨てガイド装置の斜視図であって、それが背椎骨に接近したときの斜視図である。
【図３】図２の図と同様の図であって、ガイド装置が背椎骨に正しく載っている図を示す。
【図４】背椎骨に正しく載っている図２の装置の別の図を示す。
【図５】図４の線Ｖ−Ｖに沿って作成された断面を示す。
【図６】背椎骨に正しく載っている、本発明の第３の実施形態による使い捨てガイド装置の斜視図である。
【図７】背椎骨に正しく載っている図６の装置の別の図を示す。
【図８】図７の線ＶＩＩＩ−ＶＩＩＩに沿って作成された断面を示す。
【発明を実施するための形態】
【００４５】
添付の図を参照して、数字１０は、本発明による脊椎手術用のガイド装置を示す。
【００４６】
特に、図は、特定の背椎骨１００に接近した装置１０を示しており、そのために当該装置は設計および構築されたものである。
【００４７】
脊椎手術のための使い捨てガイド装置１０は、
患者の背椎骨１００への外科的介入をガイドするための、近位端１４と遠位端１６との間に延びる２つのガイドスリーブ１２と、
複数の支持要素１８であって、各支持要素１８が、結合構成において、患者の背椎骨１００を再現する仮想表面１０２の一部に当接するように特別に構成された接触領域２０を規定する、複数の支持要素１８と、
２つのガイドスリーブ１２を一緒に結合する少なくとも１つの接合要素２２と、を備える。
【００４８】
本発明による使い捨てガイド装置１０において、各ガイドスリーブ１２は、近位端２６と遠位端２８との間に延びる補助スリーブ２４を備え、補助スリーブ２４の近位端２６は、対応するガイドスリーブ１２の近位端１４に近接して位置している。
【００４９】
本明細書および以下では、患者の背椎骨１００を再現する仮想表面１０２について言及がなされる。それ自体が知られているように、この仮想表面１０２は、患者の背椎骨１００の三次元モデルから得られる。したがって、特定の仮想表面１０２は、個々のガイド装置１０ごとに一意に識別される。さらに、ガイド装置１０が結合構成において正しく配置されている場合、その位置は仮想表面１０２に対して一意に規定される。仮想表面１０２の一意性、および結合構成におけるガイド装置１０と仮想表面１０２との間の相互位置の一意性のために、ガイド装置１０のいくつかの特徴は、仮想表面１０２に関して明確に規定され得る。本議論において、「使用時」、「使用中」などの表現は、仮想表面１０２への結合構成におけるガイド装置１０を指す。
【００５０】
仮想表面１０２は背椎骨１００を忠実に再現するので、添付の図では、仮想表面１０２は、背椎骨１００自体に載っているように表され、あいまいさやエラーを導入することなく、実際に背椎骨１００の現実の表面として識別され得る。
【００５１】
有利には、各ガイドスリーブ１２および対応する補助スリーブ２４は、それぞれの近位端１４、２６から始まる発散する展開を有する。
【００５２】
好ましくは、各ガイドスリーブ１２は、対応するそれぞれの主軸Ｘｐに沿って延在し、それぞれの補助スリーブ２４は、対応するそれぞれの補助軸Ｘａに沿って延在する。この場合、有利には、各補助軸Ｘａは、対応するそれぞれの主軸Ｘｐと交差する。
【００５３】
ガイド装置１０のいくつかの実施形態によれば、各補助軸Ｘａは、対応するそれぞれの主軸Ｘｐと角度αを形成する。
【００５４】
好ましくは、補助軸Ｘａおよび対応する主軸Ｘｐによって形成される角度αは、２０°から６０°の間、さらにより好ましくは２５°から４５°の間に含まれる。
【００５５】
主軸Ｘｐと補助軸が交差する場合、それらは同じ平面にあり、角度αは当業者によって即座に特定可能である。
【００５６】
逆に、主軸Ｘｐと補助軸Ｘａの両方を含む平面がない場合（つまり、これらの軸がねじれの位置にある場合）、例えば、２つの軸間の最小距離を表すセグメントに垂直な平面上の軸の投影によって形成される角度を類推によって考慮することが可能である。
【００５７】
本明細書で使用される「遠位」および「近位」という用語は、背椎骨１００の仮想表面１０２に対する要素（例えば、スリーブの端部）の相対位置を指すことに留意されたい。
【００５８】
各ガイドスリーブ１２は、遠位端１６と近位端１４との間に実質的に連続して延びる挿入ダクト３０を収容する。
【００５９】
言い換えれば、挿入ダクト３０は、ガイドスリーブ１２の遠位端１６に形成された遠位開口部３２と、ガイドスリーブ１２の近位端１４に形成された近位開口部３４との間に延びる。
【００６０】
同様に、各補助スリーブ２４は、遠位端２８と近位端２６との間で実質的に連続して延びる供給ダクト３６を収容する。
【００６１】
言い換えれば、供給ダクト３６は、補助スリーブ２４の遠位端２８に形成された遠位開口部３８と、補助スリーブ２４の近位端２６に形成された近位開口部４０との間に延びる。
【００６２】
いくつかの実施形態（例えば、図６−８を参照）によれば、供給ダクト３６の近位開口部４０は、挿入ダクト３０の壁に、その近位端１４の近くに規定されている。これらの実施形態では、供給ダクト３６は、挿入ダクト３０に通じている。
【００６３】
他の実施形態では（例えば、図１−５を参照）、供給ダクト３６の近位開口部４０は、挿入ダクト３０の近位開口部３４からわずかに離間している。
【００６４】
挿入ダクト３０および供給ダクト３６の両方は、器具のためのそれぞれの挿入軸を規定し、その使用は好ましくは術前段階で詳細に計画される。
【００６５】
したがって、各ダクト３０、３６において、遠位開口部３２、３８は、器具のアクセス開口部に対応し、一方、近位開口部３４、４０は、患者の背椎骨１００に、その近傍において、面する。
【００６６】
ガイド装置１０と共に使用することができる器具は、典型的には、キルシュナーワイヤ、カニューレ付きの多軸ねじ、中実の多軸ねじ、ドリル、タッパー、パンチ、プローブ、マーカー、ピンであり得る。これらの器具は、外科的介入の主要な段階を実行するのはこれらであるので、以下「主要な外科器具」と呼ばれる。主要な外科器具４２は、図１、２および５に概略的に表されている。
【００６７】
したがって、既知の態様では、挿入ダクト３０の直径は、それが主要な外科器具４２の挿入を可能にするようなものである。適用分野に応じて、挿入ダクトの内径は３−１８ｍｍ、３−１２ｍｍ、３−９ｍｍ、３−６ｍｍから選択され得る。
【００６８】
本発明によれば、供給ダクト３６の直径は、それが準備ドリルの挿入を可能にするようなものである。適用分野に応じて、挿入ダクトの内径は１．８−４ｍｍ、２−３ｍｍから選択され得る。そのような準備ドリルは、主要な外科器具４２の使用を容易にするために骨を表面的に切開するタスクを有する。
【００６９】
上記に照らして、当業者は、ガイドスリーブ１２の主軸Ｘｐが、挿入ダクト３０の、したがって主要な外科器具４２の前進方向を規定することを容易に理解することができる。同様に、補助スリーブ２４の補助軸Ｘａは、供給ダクト３６の、したがって準備ドリル（図には示されていない）の前進方向を規定する。準備ドリルの前進方向Ｘａは、有利なことに術前計画中に規定され得、とりわけ、準備ドリルが背椎骨１００の仮想表面１０２に接近する角度βを最適に規定する。角度βに関するいくつかの考慮事項は以下に示される。
【００７０】
したがって、有利には、補助軸Ｘａは、背椎骨１００の仮想表面１０２に近接して主軸Ｘｐからの最小距離に達する。好ましくは、補助軸Ｘａは、背椎骨１００の仮想表面１０２に近接して主軸Ｘｐと交差する。
【００７１】
好ましくは、図５および８に示される断面図に見られるように、補助軸Ｘａは、背椎骨１００の内部の点で、主軸Ｘｐから最小距離に到達するか、またはそれと交差する。いくつかの実施形態によれば、補助軸Ｘａは、仮想表面１０２から５ｍｍ以内で主軸Ｘｐと交差する、または主軸Ｘｐから最小距離に到達する。
【００７２】
本発明の任意選択的な態様によれば、各ガイドスリーブ１２は、近位端１４が遠位端１６に対して互いにより離れるように、方向付けられ得る。言い換えれば、各ガイドスリーブ１２の主軸Ｘｐは、それぞれの遠位端１６から開始して、互いに離れるように方向付けられている。したがって、本発明によるガイド装置１０は、好ましくは、ガイドスリーブ１２が近位領域で発散する「発散」構成を有する。
【００７３】
有利なことに、これは、装置１０の位置決めを単純化し、したがって、外科医による挿入に必要なスペースを削減する。
【００７４】
当業者が十分に理解できるように、各補助スリーブ２４の向きは、装置１０の設計中にかなり自由に選択することができる。
【００７５】
特に、背椎骨１００の仮想表面１０２に対する向きは、主要な外科器具４２がたどる方向Ｘｐに関係なく規定され得る。
【００７６】
各ガイドスリーブ１２および対応するそれぞれの補助スリーブ２４の向きおよび位置決めは、コンピュータ支援設計ツールによって、骨構造の３次元モデル上で、術前段階中に設計される。このモデルは、例えば、患者の背椎骨１００のコンピュータ断層撮影および／または磁気共鳴によって得られた３次元画像から開発される。したがって、各スリーブ１２、２４は、背椎骨１００に対するそれぞれの軸Ｘｐ、Ｘａの方向を一意に規定するように設計されている。
【００７７】
好ましくは、装置１０は、各補助軸Ｘａが、使用中、それが入射する背椎骨１００の仮想表面１０２の部分と角度βを形成するように構築されており、角度βは、準備ドリルの使用に有利である。使用中に、各補助軸Ｘａと、それが入射する背椎骨１００の仮想表面１０２の部分とによって形成される角度βは、好ましくは６０°から１２０°の間、さらにより好ましくは７５°から１０５°の間に含まれる。
【００７８】
前述のように、接合要素２２は、２つのガイドスリーブ１２の間に提供される。
【００７９】
好ましくは、少なくとも１つの接合要素２２は、２つのガイドスリーブ１２に対して横方向に延在して、それらを互いに堅固に接続する。より好ましくは、接合要素２２は、各ガイドスリーブ１２の遠位端１６に近接して位置している。
【００８０】
したがって、そのような接合要素２２は、好ましくは、２つのガイドスリーブ１２の間に延在してそれらを離間させ且つそれらを事前に確立された相互位置にしっかりと保つ非直線の横材である。
【００８１】
好ましくは、各ガイドスリーブ１２は、背椎骨１００の棘突起１０４の収容が行われることを可能にするのに少なくとも適切な距離だけ互いに離間されている。
【００８２】
いくつかの実施形態によれば、接合要素２２は、背椎骨１００の棘突起１０４を収容するためのシート４４をその中に規定する逆「Ｕ」形状をとる。
【００８３】
いくつかの実施形態、例えば図１−４に示されるものによれば、棘突起１０４を収容するためのシート４４は、結合構成（オープンプロファイル）にガイド装置１０を配置する前に患者の靭帯を切除しなければならないことを防ぐためにクラニアル−カウダル方向に開いている。
【００８４】
あるいは、例えば、図６−７に示される実施形態では、棘突起１０４を収容するためのシート４４は、接合要素２２の側面を接続する１つまたは複数のパーティション４６によってクラニアル−カウダル方向に閉じることができ、これにより、ガイド装置１０に対して優れた安定性を確保するように、それぞれ、棘突起１０４を取り囲むセミオープンまたはクローズドプロファイルを形成する。
【００８５】
本発明のさらなる任意選択的な態様によれば、接合要素２２は、好ましくは、外科医による装置１０の取り扱いを容易にするのに適したハンドル４８を備える。例えば、ハンドル４８は、接合要素２２から延設し得る（例えば、図２から４を参照されたい）。あるいは、ハンドル４８は、同様に接合要素２２に対して延在し得、２つのガイドスリーブ１２を互いに結合する。
【００８６】
装置１０の安定性を促進するために、それは、好ましくは、各ガイドスリーブ１２の近位端１４の近くに配置された複数の支持要素１８を備える。各支持要素１８は、結合構成において、患者の背椎骨１００の仮想表面１０２の特定の部分に当接するように構成された接触領域２０を規定する。
【００８７】
好ましくは、この部分は、棘突起１０４、椎弓板、関節突起、または患者の背椎骨１００の横突起の片側である。
【００８８】
スリーブについて既に述べたように、各支持要素１８、特にそれぞれの接触領域２０はまた、骨構造の３次元モデル上で、コンピュータ支援設計ツールによって、術前段階中に設計される。このモデルは、例えば、患者の背椎骨１００のコンピュータ断層撮影および／または磁気共鳴によって得られた３次元画像から開発される。
【００８９】
したがって、各支持要素１８の各接触領域２０は、それが患者の骨構造と一意に一致するように設計されている。
【００９０】
いくつかの実施形態では、支持要素１８の少なくとも１つは、フックのような形状である。言い換えれば、この支持要素１８は、背椎骨１００の一部を少なくとも部分的に取り囲み且つ異なる方向から背椎骨１００上に載るように全体として形作られた接触領域２０を備える。例として、図２から図４の実施形態では、２つの支持要素１８は両方ともフックのような形状であり、その結果、各支持要素１８が、部分的にクラニアル方向に且つ部分的にカウダル方向に、背椎骨１００の椎弓または椎弓板上に載るように設計された接触領域２０を規定することが分かる。
【００９１】
有利なことに、これにより、縮小された、しかし特に堅固な支持領域を得ることができる。
【００９２】
特定の実施形態では、各ガイドスリーブ１２はまた、ガイドスリーブ１２の近位端１４の近くに位置しており且つ背椎骨１００の仮想表面１０２の一部に当接するように構成されたさらなる接触部分５０を備えている。好ましくは、この接触部分５０はまた、接触領域２０と同様に、患者の個々の背椎骨１００の対応する部分の仮想表面に対して相補的に形作られる。
【００９３】
本発明は、意図された目的を達成し、重要な利点を達成する。
【００９４】
実際、補助スリーブ２４の存在は、ガイドスリーブ１２の方向よりも好ましい方向Ｘａに沿って操作することによって、外科医が背椎骨１００の表面を切開することを可能にする。
【００９５】
準備ドリルが表面切開を行うと、主要な外科器具４２の挿入はかなり単純化され、したがって危険なずれを受ける可能性は低い。
【００９６】
例示的且つ非限定的な目的のために、本発明の異なる実施形態に関連して特定の特徴が説明されていることは明らかである。
【００９７】
明らかに、当業者は、偶発的且つ特定の要件を満たすために、本発明にさらなる修正および変形を加えることができる。例えば、本発明の一実施形態に関連して記載された技術的特徴は、それから推定され、本発明の他の実施形態に適用されてもよい。そのような修正および変形はまた、以下の特許請求の範囲で規定される本発明の保護の範囲内にある。
【図１】
2021523792.tif 000003
【図２】
2021523792.tif 000004
【図３】
2021523792.tif 000005
【図４】
2021523792.tif 000006
【図５】
2021523792.tif 000007
【図６】
2021523792.tif 000008
【図７】
2021523792.tif 000009
【図８】
2021523792.tif 000010
【国際調査報告】
2021523792.tif 000011
2021523792.tif 000012
2021523792.tif 000013